(57)【要約】【課題】かしめることで取り付けられる電極端子を備える電池であって、効率よく生産することのできる電池を提供すること。【解決手段】発電要素１２０と、発電要素１２０を収容する電池容器１００と、発電要素１２０に接続される集電体１３０と、集電体１３０に接続される電極端子２００とを備える電池であって、少なくとも一部が電池容器１００と集電体１３０との間に配置されたパッキン２３０を備え、電極端子２００には、電池容器１００に、パッキン２３０を介して集電体１３０を固定する第一リベット２１０が備えられ、集電体１３０およびパッキン２３０の少なくとも一方の第一リベット２１０の近傍の位置に、空隙部２０８が設けられている。【選択図】図２
2013157232.tif 000002
【特許請求の範囲】
【請求項１】
発電要素と、前記発電要素を収容する電池容器と、前記発電要素に接続される集電体と、前記集電体に接続される電極端子とを備える電池であって、
少なくとも一部が前記電池容器と前記集電体との間に配置されたパッキンを備え、
前記電極端子には、前記電池容器に、前記パッキンを介して前記集電体を固定する第一リベットが備えられ、
前記集電体および前記パッキンの少なくとも一方の前記第一リベットの近傍の位置に、空隙部が設けられている
電池。
【請求項２】
前記空隙部は、前記集電体に設けられ、かつ、少なくとも前記電池容器の内方側に開口している
請求項１に記載の電池。
【請求項３】
前記空隙部は、前記集電体を貫通する第一空隙部と、前記第一空隙部に連続するように前記パッキンに設けられた第二空隙部とを有する
請求項１または２に記載の電池。
【請求項４】
前記空隙部は、前記第一リベットを囲むように設けられている
請求項１〜３のいずれか一項に記載の電池。
【請求項５】
前記電極端子はさらに、前記第一リベットに並んで配置された第二リベットを有し、
前記第二リベットは、前記電池容器に、前記パッキンを介して前記集電体を固定し、
前記空隙部の少なくとも一部は、前記第一リベットおよび前記第二リベットの間に設けられている
請求項１〜４のいずれか一項に記載の電池。
【発明の詳細な説明】
【技術分野】
【０００１】
本発明は、発電要素が収容された電池容器と、発電要素と接続された電極端子とを備える電池に関する。
【背景技術】
【０００２】
近年、世界的な環境問題への取り組みとして、従来のガソリン自動車に代えてハイブリッド自動車および電気自動車等の、動力源としてモータを備える自動車が普及し始めている。
【０００３】
また、これらハイブリッド自動車等に備えられたモータに電力を供給する電源として、リチウムイオン二次電池などの各種電池が広く活用されている。
【０００４】
このような電池は、例えば、発電要素が収容された電池容器と、発電要素と接続された電極端子とを備えている。また、電極端子は、一般に、電池容器の蓋体を貫通した状態で電池容器に取り付けられており、発電要素からの電流を、電池容器の外方に導出する役割を担っている。
【０００５】
このような構造の電池を使用する場合、例えば、電極端子に大きな外力が作用することが考えられるため、電極端子を電池容器に強固に固定するための工夫が必要となる。
【０００６】
そこで、従来、かしめ部材を有する電極端子を備える電池が提案されている（例えば特許文献１参照）。この電池によれば、電極端子が、電池容器の内方に延びる複数のかしめ部材によって電池容器内の電極板と接続される。これにより、電極端子の回転および破損等が防止される。
【先行技術文献】
【特許文献】
【０００７】
【特許文献１】特開２００９−２３１１４０号公報
【発明の概要】
【発明が解決しようとする課題】
【０００８】
ここで、電極端子に設けられたかしめ部材（例えばリベット）をかしめ機を用いてかしめる場合、かしめる際の押圧力により、リベットと接触している集電体またはパッキン等の部材のリベットの近傍部分に歪み（例えば、リベットの軸方向の反り）が生じることがある。
【０００９】
例えばパッキンに歪みが生じた場合、リベットとパッキンとの間に微小な隙間が生じる可能性がある。つまり、リベットと電池容器との間の気密性が維持されない可能性がある。このように気密不良が発生した電池は、例えば廃棄処分され、このことは、例えば電池の生産効率の低下および生産コストの上昇を招く一因ともなる。
【００１０】
また、昨今の蓄電素子の大容量化および大電流化に伴い、発電要素と電極端子との電気的な接続部分の接触面積を広くし、これにより、当該接続部分におけるエネルギーの損失を可及的に抑制したいとの課題がある。
【００１１】
しかし、発電要素と電極端子との間を電気的に接続する役目を担う集電体に、上述のように歪みが生じた場合、この歪みを要因として、集電体と電極端子との間の接触面積が、本来的に期待される面積より小さくなる可能性、つまり接触不良が発生する可能性もある。その結果、集電体と電極端子との接触部分におけるエネルギー損失が増大する可能性がある。
【００１２】
本発明は、上記従来の課題を考慮し、かしめることで取り付けられる電極端子を備える電池であって、効率よく生産することのできる電池を提供することを目的とする。
【課題を解決するための手段】
【００１３】
上記目的を達成するために、本発明の一態様に係る電池は、発電要素と、前記発電要素を収容する電池容器と、前記発電要素に接続される集電体と、前記集電体に接続される電極端子とを備える電池であって、少なくとも一部が前記電池容器と前記集電体との間に配置されたパッキンを備え、前記電極端子には、前記電池容器に、前記パッキンを介して前記集電体を固定する第一リベットが備えられ、前記集電体および前記パッキンの少なくとも一方の前記第一リベットの近傍の位置に、空隙部が設けられている。
【００１４】
この構成によれば、電池容器を貫通する第一リベットをかしめる際に、集電体またはパッキンに発生する歪みは、空隙部に吸収される。これにより、リベットをかしめる際の押圧力に起因する気密不良または接触不良等の不具合の発生は抑制される。
【００１５】
従って、本態様の電池は、かしめることで取り付けられる電極端子を備える電池であって、効率よく生産することができる電池である。
【００１６】
また、本発明の一態様に係る電池において、前記空隙部は、前記集電体に設けられ、かつ、少なくとも前記電池容器の内方側に開口しているとしてもよい。
【００１７】
この構成によれば、空隙部は集電体に設けられる。これにより、例えば、簡単な構造で、第一リベットをかしめることに起因する電極端子と集電体との間の接触不良の発生が抑制される。
【００１８】
また、本発明の一態様に係る電池において、前記空隙部は、前記集電体を貫通する第一空隙部と、前記第一空隙部に連続するように前記パッキンに設けられた第二空隙部とを有するとしてもよい。
【００１９】
この構成によれば、集電体の第一空隙部とパッキンの第二空隙部とが、集電体とパッキンとの重なり方向に連続して配置される。そのため、例えば、空隙部が、第一リベットをかしめる際に集電体およびパッキンに発生する応力を逃がす手段としてより効果的に作用する。
【００２０】
また、本発明の一態様に係る電池において、前記空隙部は、前記第一リベットを囲むように設けられているとしてもよい。
【００２１】
この構成によれば、空隙部は、例えば、第一リベットを中心として様々な方向に発生し得る歪みを、より確実に吸収することができる。
【００２２】
また、本発明の一態様に係る電池において、前記電極端子はさらに、前記第一リベットに並んで配置された第二リベットを有し、前記第二リベットは、前記電池容器に、前記パッキンを介して前記集電体を固定し、前記空隙部の少なくとも一部は、前記第一リベットおよび前記第二リベットの間に設けられているとしてもよい。
【００２３】
この構成によれば、例えば第一リベットと第二リベットとが順次かしめられる場合に、それぞれのかしめ工程で発生する歪みは、第一リベットと第二リベットとの間に設けられた空隙部によって吸収される。つまり、２本のリベットのそれぞれをかしめることに起因する気密不良または接触不良等の不具合の発生は抑制される。
【発明の効果】
【００２４】
本発明によれば、かしめることで取り付けられる電極端子を備える電池であって、効率よく生産することのできる電池を提供することができる。
【図面の簡単な説明】
【００２５】
【図１】本発明の実施の形態１における電池の内部構造の概要を示す斜視図である。
【図２】実施の形態１の電池における電極端子の取付け構造の一例を示す部分断面図である。
【図３】実施の形態１の電池における電極端子の取付け部分の下面図である。
【図４】実施の形態１における電極端子の取付け工程の一例を示す断面図である。
【図５Ａ】実施の形態１における空隙部の第一の変形例を示す下面図である。
【図５Ｂ】実施の形態１における空隙部の第二の変形例を示す下面図である。
【図５Ｃ】実施の形態１における空隙部の第三の変形例を示す下面図である。
【図６Ａ】実施の形態１における空隙部の第四の変形例を示す断面図である。
【図６Ｂ】実施の形態１における空隙部の第五の変形例を示す断面図である。
【図７Ａ】実施の形態１における空隙部の第六の変形例を示す断面図である。
【図７Ｂ】実施の形態１における空隙部の第七の変形例を示す断面図である。
【図８】本発明の実施の形態２における電極端子の外観を示す斜視図である。
【図９】実施の形態２の電池における電極端子の取付け構造の一例を示す部分断面図である。
【図１０】実施の形態２の電池における電極端子の取付け部分の下面図である。
【図１１Ａ】実施の形態２における空隙部の第一の変形例を示す下面図である。
【図１１Ｂ】実施の形態２における空隙部の第二の変形例を示す下面図である。
【図１１Ｃ】実施の形態２における空隙部の第三の変形例を示す下面図である。
【発明を実施するための形態】
【００２６】
以下、図面を参照しながら、本発明の実施の形態における電池について説明する。なお、各図は、模式図であり、必ずしも厳密に図示したものではない。
【００２７】
また、以下で説明する各実施の形態では、本発明の好ましい一具体例が示されている。各実施の形態で示される数値、形状、構成要素、構成要素の配置および接続形態などは、一例であり、本発明を限定する主旨ではない。本発明は、特許請求の範囲によって限定される。よって、以下の各実施の形態における構成要素のうち、独立請求項に記載されていない構成要素は、本発明の課題を達成するのに必ずしも必要ではないが、より好ましい形態を構成する要素として説明される。
【００２８】
（実施の形態１）
まず、図１を用いて、本発明の実施の形態１における電池１０の全般的な説明を行う。
【００２９】
図１は、本発明の実施の形態１における電池１０の内部構造の概要を示す斜視図である。つまり、図１は、電池１０の内部構造を図示するために、後述する電池容器１００の一部の図示が省略された図である。
【００３０】
電池１０は、電気を充電し、また、電気を放電することのできる二次電池であり、例えば、非水電解質二次電池である。非水電解質電池としては、例えば、正極活物質がコバルト酸リチウムなどのリチウム遷移金属酸化物であり、負極活物質が炭素材料であるリチウムイオン二次電池を挙げることができる。なお、電池１０の種類は、非水電解質二次電池には限定されず、非水電解質二次電池以外の二次電池であってもよく、また、乾電池などの一次電池であってもよい。
【００３１】
図１に示すように、実施の形態１における電池１０は、電池容器１００と、電極端子２００と、電極端子３００とを備える。本実施の形態では、電極端子２００は正極の端子であり、電極端子３００は負極の端子である。
【００３２】
本実施の形態では、電極端子２００は、基体２０１と、第一リベット２１０と、第二リベット２２０とを有する。また、電極端子３００は、基体３０１と、第一リベット３１０と、第二リベット３２０とを有する。
【００３３】
基体２０１および基体３０１は、中実（solid）の導電体である。また、基体２０１および基体３０１の形状は、本実施の形態では、直方体であるが、基体２０１および基体３０１の形状に特に限定はなく、円柱等の直方体以外の形状であってもよい。
【００３４】
電池容器１００は、金属からなる矩形筒状で底を備える本体と、当該本体の開口を閉塞する金属製の蓋板１１０とで構成されている。また、電池容器１００は、発電要素１２０等を内部に収容後、蓋板１１０と本体とが溶接等されることにより、内部を密封する構造を有する。
【００３５】
また、電極端子２００は、電池容器１００の気密性を保つためのパッキン２３０を介して電池容器１００の蓋板１１０に取り付けられている。電極端子３００も同様にパッキン３３０を介して電池容器１００の蓋板１１０に取り付けられている。
【００３６】
具体的には、図１に示すように、電極端子２００の基体２０１は、電池容器１００の外側に配置され、電極端子２００の、第一リベット２１０および第二リベット２２０は、電池容器１００の蓋板１１０を貫通している。
【００３７】
電極端子３００も同様に電池容器１００に配置されている。つまり、基体３０１は、電池容器１００の外側に配置され、第一リベット３１０および第二リベット３２０は、電池容器１００の蓋板１１０を貫通している。
【００３８】
なお、基体２０１および３０１それぞれの例えば上面には、図示しないボルト穴等の連結部が形成されており、これら連結部に取り付けられた導電部材を介して、モータ等の装置に電池１０からの電力が供給される。
【００３９】
また、本実施の形態では、図１に示すように、電極端子２００の２本のリベット（２１０、２２０）の並び方向は、電池１０の横幅の方向（Ｘ軸方向）に平行である。しかし、当該並び方向は特定の方向に限定されない。例えば、電極端子２００は、２本のリベット（２１０、２２０）の並び方向が、電池１０の厚みの方向（Ｙ軸方向）に平行となるように、電池１０に配置されてもよい。このことは、電極端子３００についても同じである。
【００４０】
また、図１に示すように、電池容器１００の内方には、発電要素１２０が収容されており、さらに、正極側の集電体１３０と、負極側の集電体１４０とが配置されている。なお、電池１０の電池容器１００の内部には電解液などの液体が封入される場合があるが、当該液体の図示は省略する。
【００４１】
発電要素１２０は、詳細な図示は省略するが、正極と負極とセパレータとを備え、電気を蓄えることができる部材である。負極は、銅箔からなる長尺帯状の負極基材の表面に負極活物質層が形成されたものである。正極は、アルミニウム箔からなる長尺帯状の正極基材の表面に正極活物質層が形成されたものである。
【００４２】
セパレータは、樹脂からなる微多孔性のシートである。そして、発電要素１２０は、負極と正極との間にセパレータが挟み込まれるように層状に配置されたものが、長さ方向に巻き回されることで全体が長円形状となるように形成されている。
【００４３】
また、第一リベット２１０および第二リベット２２０は、正極側の集電体１３０と接続されており、第一リベット３１０および第二リベット３２０は負極側の集電体１４０と接続されている。
【００４４】
集電体１３０は、発電要素１２０の正極と電池容器１００の側壁との間に配置され、電極端子２００と発電要素１２０の正極とに電気的に接続される導電性と剛性とを備えた部材である。つまり、電極端子２００は、集電体１３０を介して発電要素１２０の正極と接続されている。
【００４５】
また、集電体１４０は、発電要素１２０の負極と電池容器１００の側壁との間に配置され、電極端子３００と発電要素１２０の負極とに電気的に接続される導電性と剛性とを備えた部材である。つまり、電極端子３００は、集電体１４０を介して発電要素１２０の負極と接続されている。
【００４６】
具体的には、集電体１３０および１４０のそれぞれは、電池容器１００の側壁と蓋板１１０とに沿って屈曲状態で配置される金属製の板状部材である。また、集電体１３０は、少なくとも一部が電池容器１００の蓋板１１０と集電体１３０との間に配置されたパッキン２３０を介して、蓋板１１０に、第一リベット２１０および第二リベット２２０によって固定されている。
【００４７】
集電体１４０も同様に、パッキン３３０を介して、蓋板１１０に、第一リベット３１０および第二リベット３２０によって固定されている。さらに、集電体１３０および１４０はそれぞれ、発電要素１２０の正極および負極に溶接などによって固定的に接続されている。
【００４８】
これにより、発電要素１２０は、電池容器１００の内部において、集電体１３０および１４０により、蓋板１１０から吊り下げられた状態で保持される。
【００４９】
なお、集電体１３０は、正極と同様、アルミニウムで形成され、集電体１４０は、負極と同様、銅で形成されている。
【００５０】
また、集電体１３０および１４０と発電要素１２０の正極および負極との接合方法は特定の方法に限定されない。例えば、集電体１３０および１４０の一部を折り曲げることにより溶接用のフィン（図示せず）を起立させ、当該フィンで発電要素１２０の正極および負極を挟み込みつつ溶接により接合する方法が採用される。
【００５１】
次に、電極端子２００の取付け部分の詳細について図２を用いて説明する。
【００５２】
なお、本実施の形態において、正極側の電極端子２００と負極側の電極端子３００とは同一の構造であり、同一の技術的特徴を有する。また集電体（１３０、１４０）およびパッキン（２３０、３３０）も正極側と負極側とで同一の構造であり、同一の技術的特徴を有する。
【００５３】
そのため、以下、電極端子２００およびその周辺部分についての説明を中心に行い、電極端子３００およびその周辺部分についての詳細な説明を省略する。
【００５４】
図２は、実施の形態１の電池１０における電極端子２００の取付け構造の一例を示す部分断面図である。
【００５５】
具体的には、図２に示す断面図は、図１における電池１０の奥行き方向（Ｙ軸方向）の中央付近をＸＺ平面に平行に切断した場合の、電極端子２００付近の断面を示している。
【００５６】
図２に示すように、電極端子２００は、パッキン２３０を介して蓋板１１０に取り付けられている。
【００５７】
パッキン２３０は、例えば樹脂を成型することで作製されており、電池容器１００の、第一リベット２１０の取り付け部分における気密性を保持するための部材である。
【００５８】
なお、パッキン２３０は、例えば、インサート成型による一体物として蓋板１１０に設けられてもよい。また、パッキン２３０は、例えば、図２において上下に分けられた２つの部分から構成されてもよい。
【００５９】
また、第一リベット２１０は、蓋板１１０に設けられた第一貫通孔１１１に挿入され、集電体１３０を貫通した状態で、図２における下端部がかしめられている。第二リベット２２０も同様に、蓋板１１０に設けられた第二貫通孔１１２に挿入され、集電体１３０を貫通した状態で、図２における下端部がかしめられている。
【００６０】
パッキン２３０は、少なくとも一部が電池容器１００と集電体１３０との間に配置されている。本実施の形態では、パッキン２３０はさらに、第一リベット２１０の周面を覆うように第一貫通孔１１１に挿入されている。また、パッキン２３０は、第二リベット２２０の周面を覆うように第二貫通孔１１２に挿入されている。これにより、第一リベット２１０および第二リベット２２０と電池容器１００との間の気密性が保たれる。
【００６１】
また、電池１０では、集電体１３０およびパッキン２３０の少なくとも一方の第一リベット２１０の近傍の位置に、空隙部２０８が設けられている。
【００６２】
本実施の形態では、空隙部２０８は、集電体１３０を貫通する第一空隙部２０８ａと、第一空隙部２０８ａに連続するようにパッキン２３０に設けられた第二空隙部２０８ｂとを有する。
【００６３】
図３は、実施の形態１の電池１０における電極端子２００の取付け部分の下面図である。
【００６４】
なお、図３では、集電体１３０、パッキン２３０、および蓋板１１０のそれぞれを容易に識別するために、集電体１３０にドットを付し、パッキン２３０には波線を付している。このことは、後述する図５Ａ等の下面図でも同じである。
【００６５】
図３に示すように、本実施の形態では、空隙部２０８の少なくとも一部は、第一リベット２１０および第二リベット２２０の間に設けられている。
【００６６】
以上説明した構造を有する電池１０の製造工程において、電極端子２００が電池容器１００に取り付けられる場合、第一リベット２１０および第二リベット２２０のそれぞれが順次かしめられる。例えば、最初に第一リベット２１０がかしめられ、次に第二リベット２２０がかしめられる。
【００６７】
これにより、電極端子２００と集電体１３０とが連結されるとともに、電極端子２００が電池容器１００に安定的に固定される。
【００６８】
また、この順次行われるかしめ作業において、電池１０に設けられた空隙部２０８は、かしめ時に発生する歪みを吸収する役割を担っている。
【００６９】
つまり、電池１０は、空隙部２０８を備えることで、リベット（第一リベット２１０および第二リベット２２０の少なくとも一方）をかしめる際の押圧力に起因する気密不良等の不具合の発生を抑制することができる。
【００７０】
図４は、実施の形態１における電極端子２００の取付け工程の一例を示す断面図である。
【００７１】
図４の（ａ）に示すように、パッキン２３０が配置された蓋板１１０の上方から、第一リベット２１０および第二リベット２２０のそれぞれが、パッキン２３０に設けられた孔に差し込まれる。これにより、第一リベット２１０の先端部分が、集電体１３０に設けられた取付孔１３１に差し込まれる。また、第二リベット２２０の先端部分が、集電体１３０に設けられた取付孔１３２に差し込まれる。
【００７２】
次に、図４の（ｂ）に示すように、例えば、第一リベット２１０がかしめられる（第一かしめ工程）。具体的には、例えば、第一リベット２１０の先端が上を向くように、電極端子２００を含む構造物全体が配置される。この状態で、かしめ機のポンチによって第一リベット２１０の先端が上方から押圧されることで第一リベット２１０がかしめられる。その結果、図４の（ｂ）に示すように、フランジ状の頭部が第一リベット２１０の先端に形成される。
【００７３】
このとき、第一リベット２１０に対するかしめ作業の押圧力により、集電体１３０およびパッキン２３０には、集電体１３０およびパッキン２３０を歪ませようとする応力が生じる。
【００７４】
具体的には、集電体１３０およびパッキン２３０それぞれの第一リベット２１０の近傍の部分が、第一リベット２１０の軸方向（Ｚ軸方向）に押圧される。そのため、集電体１３０およびパッキン２３０には、集電体１３０およびパッキン２３０をＺ軸方向とは交差する方向に広げようとする応力が生じる。
【００７５】
このような状況において、当該応力に何ら手当てをしない場合を想定する。この場合、集電体１３０およびパッキン２３０のそれぞれには、例えば、第一リベット２１０の近傍の部分を中心とした反りが発生する。
【００７６】
つまり、集電体１３０およびパッキン２３０それぞれの、第二リベット２２０が差し込まれた孔の位置を正規の位置からずれさせるような歪みが発生する。
【００７７】
その結果、例えば、第二リベット２２０が差し込まれたパッキン２３０の孔が押し広げられる可能性がある。
【００７８】
また、集電体１３０に反りが発生することで、例えば、第二リベット２２０の周面と、集電体１３０の取付孔１３２の内面との接触面積が減少する可能性がある。つまり、結果、第二リベット２２０と集電体１３０との接続部分におけるエネルギーの損失が増大する可能性がある。
【００７９】
しかしながら、本実施の形態の電池１０は、集電体１３０およびパッキン２３０の第一リベット２１０の近傍の位置に空隙部２０８を有しており、この空隙部２０８により、上記応力は吸収される。つまり、第一リベット２１０に対するかしめ作業に起因する集電体１３０およびパッキン２３０の歪みは吸収される。
【００８０】
その結果、図４の（ｃ）に示すように、第二リベット２２０をかしめた場合（第二かしめ工程）、第二リベット２２０は、パッキン２３０および集電体１３０との関係において正規の位置でかしめられる。その結果、第二リベット２２０の位置における所期の気密性が確保され、かつ、第二リベット２２０と集電体１３０との間の所期の接触面積も確保される。
【００８１】
なお、第二リベット２２０がかしめられる際にも、電極端子２００には、Ｚ軸方向に上下から押圧されるため、パッキン２３０および集電体１３０には、このかしめ作業に起因する歪みが生じ得る。
【００８２】
しかしながら、第二リベット２２０がかしめられる際も、第一リベット２１０がかしめられる際と同様に、パッキン２３０および集電体１３０に生じる歪みは空隙部２０８に吸収される。つまり、第二リベット２２０に対するかしめ作業に起因する、第一リベット２１０の位置における気密性の低下、および、第一リベット２１０と集電体１３０との間の接触面積の低下は防止される。
【００８３】
このように、本実施の形態の電池１０は、第一リベット２１０に対するかしめ作業に起因する集電体１３０およびパッキン２３０の少なくとも一方の歪みを、空隙部２０８に吸収させることができる。
【００８４】
より具体的には、本実施の形態では、第一リベット２１０と第二リベット２２０との間に空隙部２０８が設けられている。また、空隙部２０８は、集電体１３０を貫通する第一空隙部２０８ａと、第一空隙部２０８ａに連続するようにパッキン２３０に設けられた第二空隙部２０８ｂとを有する。
【００８５】
その結果、例えば、２本のリベット（２１０、２２０）のうちの一方に対するかしめ作業に起因する、他方のリベットの位置における気密性の低下、および、当該他方のリベットと発電要素１２０との接続部分におけるエネルギー損失の増加が防止される。
【００８６】
従って、本実施の形態の電池１０は、かしめることで取り付けられる電極端子を備える電池であって、効率よく生産することのできる電池である。
【００８７】
なお、電池１０は、図２および図３に示す空隙部２０８の形状および構造とは異なる形状および構造の空隙部を備えてもよい。そこで、以下に、実施の形態１における空隙部２０８の各種の変形例を説明する。
【００８８】
図５Ａは、実施の形態１における空隙部２０８の第一の変形例を示す下面図である。
【００８９】
図５Ｂは、実施の形態１における空隙部２０８の第二の変形例を示す下面図である。
【００９０】
図５Ａに示す空隙部２０８は、図３に示す空隙部２０８とは異なり、集電体１３０およびパッキン２３０のＹ軸方向の一方の端縁まで延設された溝である。
【００９１】
また、図５Ｂ示す空隙部２０８は、第一空隙部２０８ａと第二空隙部２０８ｂとで形状が異なる。具体的には、第一空隙部２０８ａは、集電体１３０のＹ軸方向の一方の端縁まで到達する溝であり、第二空隙部２０８ｂは、集電体１３０をＹ軸方向に貫通（横断）する溝である。
【００９２】
つまり、第一空隙部２０８ａは、集電体１３０を複数に分断しないように集電体１３０に形成されていればよい。
【００９３】
また、第二空隙部２０８ｂは、第一リベット２１０および第二リベット２２０と電池容器１００との間の気密性を実質的に低下させない位置に形成されていればよい。つまり、第二空隙部２０８ｂは、例えば図５Ｂに示すように、パッキン２３０の電池容器１００の内部に配置される部分を左右に分断するように設けられていてもよい。
【００９４】
なお、図５Ｂに示す空隙部２０８おいて、空隙部２０８ｂのＸ軸方向の幅を大きくする場合には、集電体１３０と蓋板１１０との間の絶縁性を確保するために、必要に応じ、ＥＰＤＭ（エチレンプロピレンジエンターポリマー）ゴムなどの柔軟性を有する絶縁部材を、空隙部２０８ｂに挿入してもよい。
【００９５】
また、空隙部２０８は、分離された複数の部分によって構成されていてもよい。
【００９６】
図５Ｃは、実施の形態１における空隙部２０８の第三の変形例を示す下面図である。
【００９７】
図５Ｃに示す空隙部２０８は、下面視において２本の溝と認識される態様で集電体１３０およびパッキン２３０に設けられている。
【００９８】
この場合も、空隙部２０８によって形成される空隙の容積は、図３に示す空隙部２０８によって形成される空隙の容積よりも大きくなる。その結果、例えば、集電体１３０およびパッキン２３０の変形能力が向上し、これにより、集電体１３０およびパッキン２３０における歪みに対する吸収能力が向上する。
【００９９】
また、空隙部２０８は、集電体１３０およびパッキン２３０の双方に設けられていなくてもよい。
【０１００】
図６Ａは、実施の形態１における空隙部２０８の第四の変形例を示す断面図である。
【０１０１】
図６Ｂは、実施の形態１における空隙部２０８の第五の変形例を示す断面図である。
【０１０２】
図６Ａおよび図６Ｂに示すように、空隙部２０８は、集電体１３０およびパッキン２３０の少なくとも一方に設けられていればよい。
【０１０３】
例えば、パッキン２３０の柔軟性が高いために、第一リベット２１０および第二リベット２２０をかしめる際に発生する歪みの、パッキン２３０の気密性に与える影響が無視できる程度である場合を想定する。この場合、図６Ａに示すように、集電体１３０にのみ空隙部２０８が設けられていてもよい。
【０１０４】
また、例えば、集電体１３０の剛性が高いために、第一リベット２１０および第二リベット２２０をかしめる際の押圧力による集電体１３０の歪みの量（変形量）が無視できる程度である場合を想定する。この場合、図６Ｂに示すように、パッキン２３０にのみ空隙部２０８が設けられていてもよい。
【０１０５】
また、空隙部２０８は、集電体１３０、および、パッキン２３０の電池容器１００の内部に配置される部分を、第一リベット２１０の軸方向（Ｚ軸方向）に貫通していなくてもよい。つまり、空隙部２０８が、蓋板１１０の裏面（電池容器１００の内方側の面）まで到達していなくてもよい。
【０１０６】
図７Ａは、実施の形態１における空隙部２０８の第六の変形例を示す断面図である。
【０１０７】
図７Ｂは、実施の形態１における空隙部２０８の第七の変形例を示す断面図である。
【０１０８】
図７Ａに示す空隙部２０８は、集電体１３０を貫通する第一空隙部２０８ａと、パッキン２３０の電池容器１００の内部に配置される部分を貫通しない第二空隙部２０８ｂとを有する。
【０１０９】
また、図７Ｂに示す空隙部２０８は、ともに、電池容器１００の外方側に開口せず、かつ、電池容器１００の内方側に開口する、第一空隙部２０８ａと第二空隙部２０８ｂとを有する。
【０１１０】
空隙部２０８が、図７Ａおよび図７Ｂのいずれの構造を採用した場合であっても、集電体１３０およびパッキン２３０に生じる歪みを吸収することは可能である。
【０１１１】
なお、図６Ａ〜図７Ｂそれぞれの空隙部２０８の下面視における形状は、例えば、図３、および、図５Ａ〜図５Ｃのいずれの形状であってもよい。
【０１１２】
また、電池容器１００の外方側に開口しない空隙部２０８の断面形状は、図７Ａおよび図８Ａに示されるような半円状または円弧状以外にも、楔状や矩形状であってもよい。
【０１１３】
また、図２、図６Ａ、図７Ａおよび図７Ｂのそれぞれに示す空隙部２０８は、集電体１３０に設けられ、かつ、少なくとも電池容器１００の内方側に開口している空隙部の一例である。
【０１１４】
また、空隙部２０８は、例えば図３に示すように、長尺状でなくてもよく、下面視において、円形、楕円形または多角形であってもよい。
【０１１５】
つまり、空隙部２０８の形状および構造は、特定の形状および構造に限定されない。空隙部２０８の形状および構造は、例えば、集電体１３０およびパッキン２３０の材質、または、第一リベット２１０および第二リベット２２０をかしめる際の押圧力に応じて決定されればよい。
【０１１６】
（実施の形態２）
次に、実施の形態２として、リベットを一本のみ有する電極端子を備える電池１０について説明する。
【０１１７】
図８は、実施の形態２における電極端子２５０の外観を示す斜視図である。
【０１１８】
なお、実施の形態２における電池１０は、正極側および負極側の電極端子として、図８に示す電極端子２５０が取り付けられている点のみが、実施の形態１における電池１０と異なる。
【０１１９】
そのため、実施の形態２における電池１０の特徴的な構造について説明し、実施の形態２における電池１０のその他の詳細についての説明は省略する。
【０１２０】
図８に示すように、実施の形態２における電極端子２５０は、基体２５１と、リベット２６０とを備える。リベット２６０は、本発明の一態様に係る電池における第一リベットの一例である。
【０１２１】
基体２５１は、中実（solid）の導電体であり、その形状は、本実施の形態では直方体である。しかし、基体２５１の形状は、円柱等の直方体以外の形状であってもよい。
【０１２２】
図９は、実施の形態２の電池１０における電極端子２５０の取付け構造の一例を示す部分断面図である。
【０１２３】
図１０は、実施の形態２の電池１０における電極端子２５０の取付け部分の下面図である。
【０１２４】
図９に示すように、電極端子２５０のリベット２６０は、電池容器１００の一部を構成する蓋板１１０の第一貫通孔１１１に挿入され、集電体１３０を貫通した状態で、電池１０に取り付けられる。
【０１２５】
パッキン２３０は、少なくとも一部が電池容器１００と集電体１３０との間に配置されている。本実施の形態では、パッキン２３０はさらに、リベット２６０の周面を覆うように、第一貫通孔１１１に挿入されている。これにより、リベット２６０と電池容器１００との間の気密性が保たれる。
【０１２６】
また、図９および図１０に示すように、実施の形態では、集電体１３０およびパッキン２３０のリベット２６０の近傍の位置に、空隙部２０８が設けられている。
【０１２７】
つまり、実施の形態２における空隙部２０８は、集電体１３０、および、パッキン２３０の電池容器１００の内部に配置される部分をリベット２６０の軸方向（Ｚ軸方向）に貫通している。
【０１２８】
実施の形態２における電池１０では、当該空隙部２０８によって、リベット２６０をかしめる際の押圧力に起因する、集電体１３０およびパッキン２３０の少なくとも一方に発生する歪み（例えば、例えば、Ｚ軸方向の反り）が吸収される。その結果、リベット２６０をかしめる際の押圧力に起因する気密不良等の不具合の発生を抑制することができる。
【０１２９】
なお、実施の形態２における空隙部２０８は、実施の形態１における空隙部２０８と同じく、各種の形状および構造を採用し得る。
【０１３０】
実施の形態２における空隙部２０８は、例えば図５Ａおよび図５Ｂで示したように、集電体１３０およびパッキン２３０のＹ軸方向の一方の端縁まで延設されていてもよい。
【０１３１】
また、実施の形態２における空隙部２０８は、例えば図６Ａおよび図６Ｂで示したように、集電体１３０およびパッキン２３０の少なくとも一方に備えられればよい。
【０１３２】
また、実施の形態２における空隙部２０８は、例えば図７Ａおよび図７Ｂで示したように、集電体１３０およびパッキン２３０のそれぞれを貫通していなくてもよい。
【０１３３】
また、実施の形態２における空隙部２０８は、例えば図５Ｃに示すように、分離された複数の部分によって構成されていてもよい。
【０１３４】
また、実施の形態２における空隙部２０８は、例えば、リベット２６０を囲むように、集電体１３０およびパッキン２３０の少なくとも一方に設けられていてもよい。
【０１３５】
図１１Ａは、実施の形態２における空隙部２０８の第一の変形例を示す下面図である。
【０１３６】
図１１Ｂは、実施の形態２における空隙部２０８の第二の変形例を示す下面図である。
【０１３７】
図１１Ｃは、実施の形態２における空隙部２０８の第三の変形例を示す下面図である。
【０１３８】
実施の形態２における空隙部２０８は、例えば、図１１Ａに示すように、リベット２６０を囲むように設けられた複数の溝によって構成されていてもよい。
【０１３９】
また、実施の形態２における空隙部２０８は、例えば、図１１Ｂに示すように、リベット２６０を囲むように設けられた１つの円弧状の溝によって構成されていてもよい。
【０１４０】
また、実施の形態２における空隙部２０８は、例えば、図１１Ｃに示すように、リベット２６０を囲むように設けられた複数の円弧状の溝によって構成されていてもよい。
【０１４１】
図１１Ａ〜図１１Ｃに示すように、リベット２６０を囲むように空隙部２０８が設けられることで、例えば、リベット２６０を中心として様々な方向に発生し得る歪みを、空隙部２０８によって、より確実に吸収することができる。
【０１４２】
以上、本発明に係る電池について、実施の形態１、２およびこれらの変形例に基づいて説明した。しかしながら、本発明は、これら実施の形態および変形例に限定されるものではない。本発明の趣旨を逸脱しない限り、当業者が思いつく各種変形を各実施の形態またはその変形例に施したものも、あるいは、上記説明された複数の構成要素を組み合わせて構築される形態も、本発明の範囲内に含まれる。
【０１４３】
例えば、図１１Ａ〜図１１Ｃに示す、リベット２６０を囲むように設けられた空隙部２０８が、実施の形態１の電池１０に備えられてもよい。また、空隙部２０８は、リベット２６０の軸方向（Ｚ軸方向）に、集電体１３０、および、パッキン２３０の電池容器１００の内部に配置される部分を貫通していなくてもよい。
【０１４４】
つまり、空隙部２０８が、第一リベット２１０および第二リベット２２０の少なくとも一方を囲むように、空隙部２０８が集電体１３０およびパッキン２３０の少なくとも一方に設けられていてもよい。
【０１４５】
また、電池１０が備える電極端子が有するリベットの本数に特に限定はなく、電池１０は、３本以上のリベットを有する電極端子を備えてもよい。
【産業上の利用可能性】
【０１４６】
本発明は、かしめることで取り付けられる電極端子を備える電池であって、効率よく生産することのできる電池を提供することができる。従って、本発明に係る電池は、大電流を長時間必要とする自動車等に搭載される電池として有用である。
【符号の説明】
【０１４７】
１０  電池
１００  電池容器
１１０  蓋板
１１１  第一貫通孔
１１２  第二貫通孔
１２０  発電要素
１３０、１４０  集電体
１３１、１３２  取付孔
２００、２５０、３００  電極端子
２０１、２５１、３０１  基体
２０８  空隙部
２０８ａ  第一空隙部
２０８ｂ  第二空隙部
２１０、３１０  第一リベット
２２０、３２０  第二リベット
２３０、３３０  パッキン
２６０  リベット
【図１】
2013157232.tif 000003
【図２】
2013157232.tif 000004
【図３】
2013157232.tif 000005
【図４】
2013157232.tif 000006
【図５Ａ】
2013157232.tif 000007
【図５Ｂ】
2013157232.tif 000008
【図５Ｃ】
2013157232.tif 000009
【図６Ａ】
2013157232.tif 000010
【図６Ｂ】
2013157232.tif 000011
【図７Ａ】
2013157232.tif 000012
【図７Ｂ】
2013157232.tif 000013
【図８】
2013157232.tif 000014
【図９】
2013157232.tif 000015
【図１０】
2013157232.tif 000016
【図１１Ａ】
2013157232.tif 000017
【図１１Ｂ】
2013157232.tif 000018
【図１１Ｃ】
2013157232.tif 000019